(57)【要約】  【課題】  パワーセーブモードにおいて給電が停止されるデバイスと、パワーセーブモードにおいても給電が維持されるデバイスとを同一のバスに接続しても、給電が維持されているデバイスが誤動作しないようにする。  【解決手段】  ＭＰＵ１１と、電源回路と、この電源回路から給電され、パワーセーブモード時に給電が停止されるデバイスとパワーセーブモード時に給電が停止されないデバイスであるオプションボード４１とが同一のローカルバス３０に接続されている場合に、オプションボード４１が、パワーセーブモードではない状態ではローカルバス３０との接続を含む入出力端子の電気的接続を許可し、パワーセーブモード状態ではローカルバス３０との接続を含む入出力端子の電気的接続を切断してハイインピーダンス状態を維持するゲート回路（４２１、４２２、４１Ａ０〜４１Ａｍ、４１Ｄ０〜４１Ｄｋ等）によりローカルバス３０と接続してある。【選択図】        図３
2005099927.tif 000002
【特許請求の範囲】
【請求項１】
プロセッサと、電源と、該電源から給電され、同一のバスに接続された複数のデバイスとを備え、前記プロセッサが発行する所定の指示により前記複数のデバイスの内の所定のデバイス以外のデバイスへの前記電源からの給電を停止して節電状態に入るコンピュータシステムにおいて、
前記所定のデバイスは、
第１の状態では前記バスとの接続を含む入出力端子の電気的接続を許可し、第２の状態では前記バスとの接続を含む入出力端子の電気的接続を切断してハイインピーダンス状態を維持する入出力端子接続手段と、
前記所定の指示を受けた場合に、前記入出力端子接続手段を前記第２の状態に切り換える切換手段と
を備えたことを特徴とするコンピュータシステム。
【請求項２】
前記所定のデバイスは、節電状態の解除を要請する割込信号を発生する手段を備え、
前記プロセッサは、前記割込信号を受信した場合に節電状態を解除する指示を発行し、  前記切換手段は、前記節電状態を解除する指示を受けた場合に、前記入出力端子接続手段を前記第１の状態に切り換えるようにしてあること
を特徴とする請求項１に記載のコンピュータシステム。
【請求項３】
前記所定のデバイスは、前記プロセッサから問い合わせがあった場合に、節電状態に入ることの可否を判断して判断結果を前記プロセッサへ報知する手段を備え、
前記プロセッサは、前記所定のデバイスから節電状態に入ることが可能である旨を報知された場合に前記所定の指示を発行するようにしてあること
を特徴とする請求項１又は２に記載のコンピュータシステム。
【請求項４】
プロセッサと、電源と、該電源から給電され、同一のバスに接続された複数のデバイスとを備え、前記プロセッサが発行する所定の指示により前記複数のデバイスの内の所定のデバイス以外のデバイスへの前記電源からの給電を停止して節電状態に入るコンピュータシステムの前記所定のデバイスと前記バスとを接続するコンピュータシステムのデバイス−バス間接続回路において、
第１の状態では前記バスとの接続を含む入出力端子の電気的接続を許可し、第２の状態では前記バスとの接続を含む入出力端子の電気的接続を切断してハイインピーダンス状態を維持する入出力端子接続手段と、
前記所定の指示を受けた場合に、前記入出力端子接続手段を前記第２の状態に切り換え、前記プロセッサが発行する節電状態を解除する指示を受けた場合に、前記入出力端子接続手段を前記第１の状態に切り換える手段と
を備えたことを特徴とするコンピュータシステムのデバイス−バス間接続回路。
【請求項５】
プロセッサと、電源と、該電源から給電され、同一のバスに接続された複数のデバイスとを備え、前記プロセッサが発行する所定の指示により前記複数のデバイスの内の電力消費量が多いデバイスへの前記電源からの給電を停止して休止状態とし、休止状態とすることができないデバイスへの前記電源からの給電を維持して節電状態に入る電子機器において、
前記節電状態時に休止状態とされないデバイスは、
第１の状態では前記バスとの接続を含む入出力端子の電気的接続を許可し、第２の状態では前記バスとの接続を含む入出力端子の電気的接続を切断してハイインピーダンス状態を維持する入出力端子接続手段と、
前記所定の指示を受けた場合に、前記入出力端子接続手段を前記第２の状態に切り換える手段と
を備えたことを特徴とする電子機器。
【請求項６】
前記節電状態時に休止状態とされないデバイスは、節電状態の解除を要請する割込信号を発生する手段を備え、
前記プロセッサは、前記割込信号を受信した場合に節電状態を解除する指示を発行し、
前記切換手段は、前記節電状態を解除する指示を受けた場合に、前記入出力端子接続手段を前記第１の状態に切り換えるようにしてあること
を特徴とする請求項５に記載の電子機器。
【請求項７】
前記節電状態時に休止状態とされないデバイスは、前記プロセッサから問い合わせがあった場合に、節電状態に入ることの可否を判断して判断結果を前記プロセッサへ報知する手段を備え、
前記プロセッサは、前記デバイスから節電状態に入ることが可能である旨を報知された場合に前記所定の指示を発行するようにしてあること
を特徴とする請求項５又は６に記載の電子機器。
【請求項８】
プロセッサと、電源と、該電源から給電され、同一のバスに接続された複数のデバイスとを備え、前記プロセッサが発行する所定の指示により前記複数のデバイスの内の電力消費量が多いデバイスへの前記電源からの給電を停止して休止状態とし、休止状態とすることができないデバイスへの前記電源からの給電を維持して節電状態に入る電子機器の前記デバイスと前記バスとを接続する電子機器のデバイス−バス間接続回路において、
第１の状態では前記バスとの接続を含む入出力端子の電気的接続を許可し、第２の状態では前記バスとの接続を含む入出力端子の電気的接続を切断してハイインピーダンス状態を維持する入出力端子接続手段と、
前記所定の指示を受けた場合に、前記入出力端子接続手段を前記第２の状態に切り換え、前記プロセッサが発行した節電状態を解除する指示を受けた場合に、前記入出力端子接続手段を前記第１の状態に切り換える手段と
を備えたことを特徴とする電子機器のデバイス−バス間接続回路。
【発明の詳細な説明】
【技術分野】
【０００１】
本発明はプロセッサを制御中枢として、バス接続された種々のデバイスが動作するコンピュータシステム及びそのようなコンピュータシステムを組み込んだ種々の電子機器であって、非稼働時に休止（パワーセーブ）状態として節電するようにしたコンピュータシステム及びそのようなコンピュータシステムを組み込んだ種々の電子機器に関し、またそれらのデバイス−バス間接続回路に関する。
【背景技術】
【０００２】
プロセッサを制御中枢として種々のデバイスをバス接続して動作させるコンピュータシステムを利用した種々の電子機器、たとえば電子写真方式のプリンタ等では、加熱定着のために最も電力を消費するデバイスである定着器のみならず、ＣＰＵ，ＲＯＭ等のデバイスへの電源からの給電をも停止することにより、休止状態として節電を図った構成が提案されている（たとえば特許文献１参照）。
【０００３】
しかし、たとえば上述のような電子写真方式のプリンタを組み込んだファクシミリ装置では、ファクシミリ受信のための通信関係のデバイス（たとえばＬＡＮボード等）は休止状態にはできないため、休止状態時に給電が停止されるデバイスとそうではないデバイスとが混在することになる。このような場合に両者が一つのバスに接続されていると、給電が停止されているデバイスの入出力端子の状態が不定状態となり、給電が維持されているデバイスが誤動作する可能性があるという問題が有った。
【特許文献１】特開平７−１５６５１２号公報
【発明の開示】
【発明が解決しようとする課題】
【０００４】
このような事情から、従来は休止状態において給電が停止されるデバイスと、休止状態においても給電が維持されるデバイスとを別々のバスに接続する構成を採ることにより、上述のような問題を回避する場合が多かった。しかしこのような構成を採る場合、少なくとも２本のバスが必要になり、また各デバイスの配置位置がそれぞれが接続されるバスによって制約されるため、機器設計上の自由度を低下させていた。
【０００５】
本発明は以上のような事情に鑑みてなされたものであり、休止状態において給電が停止されるデバイスと、休止状態においても給電が維持されるデバイスとを同一のバスに接続しても上述のような、給電が停止されているデバイスの入出力端子の状態が不定状態となって給電が維持されているデバイスが誤動作するという問題を生じないようにしたコンピュータシステム及びそのようなコンピュータシステムを組み込んだ種々の電子機器に関し、またそれらのデバイス−バス間接続回路に関する。
【課題を解決するための手段】
【０００６】
第１の発明に係るコンピュータシステムは、プロセッサと、電源と、該電源から給電され、同一のバスに接続された複数のデバイスとを備え、前記プロセッサが発行する所定の指示により前記複数のデバイスの内の所定のデバイス以外のデバイスへの前記電源からの給電を停止して節電状態に入るコンピュータシステムにおいて、前記所定のデバイスは、第１の状態では前記バスとの接続を含む入出力端子の電気的接続を許可し、第２の状態では前記バスとの接続を含む入出力端子の電気的接続を切断してハイインピーダンス状態を維持する入出力端子接続手段と、前記所定の指示を受けた場合に、前記入出力端子接続手段を前記第２の状態に切り換える切換手段とを備えたことを特徴とする。
【０００７】
このような第１の発明のコンピュータシステムでは、節電状態時に給電が停止されない所定のデバイスの、第１の状態ではバスとの接続を含む入出力端子の電気的接続を許可し、第２の状態ではバスとの接続を含む入出力端子の電気的接続を切断してハイインピーダンス状態を維持する入出力端子接続手段を、プロセッサから節電状態に入るための所定の指示を受けた場合に、切換手段が第２の状態に切り換える。
【０００８】
第２の発明に係るコンピュータシステムは、第１の発明のコンピュータシステムにおいて、前記所定のデバイスは、節電状態の解除を要請する割込信号を発生する手段を備え、前記プロセッサは、前記割込信号を受信した場合に節電状態を解除する指示を発行し、前記切換手段は、前記節電状態を解除する指示を受けた場合に、前記入出力端子接続手段を前記第１の状態に切り換えるようにしてあることを特徴とする。
【０００９】
このような第２の発明のコンピュータシステムでは、第１の発明のコンピュータシステムにおいて、節電状態時に給電が停止されない所定のデバイスが節電状態の解除を要請する割込信号を発生し、この割込信号を受信した場合にプロセッサが節電状態を解除するための所定の指示を発行し、これに応じて切換手段が入出力端子接続手段を第１の状態に切り換える。
【００１０】
第３の発明に係るコンピュータシステムは、第１又は第２の発明のコンピュータシステムにおいて、前記所定のデバイスは、前記プロセッサから問い合わせがあった場合に、節電状態に入ることの可否を判断して判断結果を前記プロセッサへ報知する手段を備え、前記プロセッサは、前記所定のデバイスから節電状態に入ることが可能である旨を報知された場合に前記所定の指示を発行するようにしてあることを特徴とする。
【００１１】
このような第３の発明のコンピュータシステムでは、第１又は第２の発明のコンピュータシステムにおいて、節電状態時に給電が停止されない所定のデバイスがプロセッサから節電状態に入るための問い合わせたあった場合に、節電状態に入ることの可否を判断して判断結果をプロセッサへ報知し、プロセッサはデバイスから節電状態に入ることが可能である旨を報知された場合に節電状態に入るための所定の指示を発行する。
【００１２】
第４の発明に係るコンピュータシステムのデバイス−バス間接続回路は、プロセッサと、電源と、該電源から給電され、同一のバスに接続された複数のデバイスとを備え、前記プロセッサが発行する所定の指示により前記複数のデバイスの内の所定のデバイス以外のデバイスへの前記電源からの給電を停止して節電状態に入るコンピュータシステムの前記所定のデバイスと前記バスとを接続するコンピュータシステムのデバイス−バス間接続回路において、第１の状態では前記バスとの接続を含む入出力端子の電気的接続を許可し、第２の状態では前記バスとの接続を含む入出力端子の電気的接続を切断してハイインピーダンス状態を維持する入出力端子接続手段と、前記所定の指示を受けた場合に、前記入出力端子接続手段を前記第２の状態に切り換え、前記プロセッサが発行する節電状態を解除する指示を受けた場合に、前記入出力端子接続手段を前記第１の状態に切り換える手段とを備えたことを特徴とする。
【００１３】
このような第４の発明のコンピュータシステムのデバイス−バス間接続回路では、第１の状態ではバスとの接続を含む入出力端子の電気的接続を許可し、第２の状態ではバスとの接続を含む入出力端子の電気的接続を切断してハイインピーダンス状態を維持する入出力端子接続手段が、プロセッサから節電状態に入るための所定の指示を受けた場合に第２の状態に切り換えられ、プロセッサから節電状態を解除するための指示を受けた場合に第１の状態に切り換えられる。
【００１４】
第５の発明に係る電子機器は、プロセッサと、電源と、該電源から給電され、同一のバスに接続された複数のデバイスとを備え、前記プロセッサが発行する所定の指示により前記複数のデバイスの内の電力消費量が多いデバイスへの前記電源からの給電を停止して休止状態とし、休止状態とすることができないデバイスへの前記電源からの給電を維持して節電状態に入る電子機器において、前記節電状態時に休止状態とされないデバイスは、第１の状態では前記バスとの接続を含む入出力端子の電気的接続を許可し、第２の状態では前記バスとの接続を含む入出力端子の電気的接続を切断してハイインピーダンス状態を維持する入出力端子接続手段と、前記所定の指示を受けた場合に、前記入出力端子接続手段を前記第２の状態に切り換える手段とを備えたことを特徴とする。
【００１５】
このような第５の発明の電子機器では、節電状態時に休止状態とされないデバイスの、第１の状態ではバスとの接続を含む入出力端子の電気的接続を許可し、第２の状態ではバスとの接続を含む入出力端子の電気的接続を切断してハイインピーダンス状態を維持する入出力端子接続手段を、プロセッサから節電状態に入るための所定の指示を受けた場合に、切換手段が第２の状態に切り換える。
【００１６】
第６の発明に係る電子機器は、第５の発明の電子機器において、前記節電状態時に休止状態とされないデバイスは、節電状態の解除を要請する割込信号を発生する手段を備え、前記プロセッサは、前記割込信号を受信した場合に節電状態を解除する指示を発行し、前記切換手段は、前記節電状態を解除する指示を受けた場合に、前記入出力端子接続手段を前記第１の状態に切り換えるようにしてあることを特徴とする。
【００１７】
このような第６の発明の電子機器では、第５の発明の電子機器において、節電状態時に休止状態とされないデバイスが節電状態の解除を要請する割込信号を発生し、この割込信号を受信した場合にプロセッサが節電状態を解除するための指示を発行し、これに応じて切換手段が入出力端子接続手段を第１の状態に切り換える。
【００１８】
第７の発明に係る電子機器は、第５又は第６の発明の電子機器において、前記節電状態時に休止状態とされないデバイスは、前記プロセッサから問い合わせがあった場合に、節電状態に入ることの可否を判断して判断結果を前記プロセッサへ報知する手段を備え、前記プロセッサは、前記デバイスから節電状態に入ることが可能である旨を報知された場合に前記所定の指示を発行するようにしてあることを特徴とする。
【００１９】
このような第７の発明の電子機器では、第５又は第６の発明の電子機器において、節電状態時に休止状態とされないデバイスがプロセッサから節電状態に入るための問い合わせがあった場合に、節電状態に入ることの可否を判断して判断結果をプロセッサへ報知し、プロセッサはデバイスから節電状態に入ることが可能である旨を報知された場合に節電状態に入るための所定の指示を発行する。
【００２０】
第８の発明に係る電子機器のデバイス−バス間接続回路は、プロセッサと、電源と、該電源から給電され、同一のバスに接続された複数のデバイスとを備え、前記プロセッサが発行する所定の指示により前記複数のデバイスの内の電力消費量が多いデバイスへの前記電源からの給電を停止して休止状態とし、休止状態とすることができないデバイスへの前記電源からの給電を維持して節電状態に入る電子機器の前記デバイスと前記バスとを接続する電子機器のデバイス−バス間接続回路において、第１の状態では前記バスとの接続を含む入出力端子の電気的接続を許可し、第２の状態では前記バスとの接続を含む入出力端子の電気的接続を切断してハイインピーダンス状態を維持する入出力端子接続手段と、前記所定の指示を受けた場合に、前記入出力端子接続手段を前記第２の状態に切り換え、前記プロセッサが発行した節電状態を解除する指示を受けた場合に、前記入出力端子接続手段を前記第１の状態に切り換える手段とを備えたことを特徴とする。
【００２１】
このような第８の発明の電子機器のデバイス−バス間接続回路では、第１の状態ではバスとの接続を含む入出力端子の電気的接続を許可し、第２の状態ではバスとの接続を含む入出力端子の電気的接続を切断してハイインピーダンス状態を維持する入出力端子接続手段が、プロセッサから節電状態に入るための所定の指示を受けた場合に第２の状態に切り換えられ、プロセッサから節電状態を解除するための指示を受けた場合に第１の状態に切り換えられる。
【発明の効果】
【００２２】
以上に詳述したように第１の発明のコンピュータシステムによれば、切換手段がプロセッサから節電状態に入るための所定の指示を受けた場合に、節電状態時に給電が停止されない所定のデバイスのバスとの接続を含む入出力端子の電気的接続が切断されてハイインピーダンス状態を維持するので、節電状態時に給電が停止されるデバイスの不定状態になる入出力端子による影響を受けなくなり、誤動作が防止される。
【００２３】
また第２の発明のコンピュータシステムによれば、第１の発明のコンピュータシステムにおいて、節電状態時に給電が停止されない所定のデバイス側から節電状態の解除を要請する割込信号を発生して節電状態を解除することができると共に、節電状態時に給電が停止されない所定のデバイスのバスとの接続を含む入出力端子の電気的接続が通常の接続状態に戻される。
【００２４】
また第３の発明のコンピュータシステムによれば、第１又は第２の発明のコンピュータシステムにおいて、節電状態時に給電が停止されない所定のデバイスがプロセッサから節電状態に入れるか否かの問い合わせを受けた場合に、節電状態に入ることが可能である旨を報知された場合にのみプロセッサが節電状態に入るための所定の指示を発行するので、節電状態時に給電が停止されない所定のデバイスが実行中の処理が終了するまでは節電状態には入らない。
【００２５】
また第４の発明のコンピュータシステムのデバイス−バス間接続回路によれば、プロセッサから節電状態に入るための所定の指示を受けた場合にバスとの接続を含む入出力端子の電気的接続を切断してハイインピーダンス状態を維持し、プロセッサから節電状態を解除するための指示を受けた場合にバスとの接続を含む入出力端子の電気的接続を許可して、通常の状態に戻ることができる。
【００２６】
また第５の発明の電子機器によれば、切換手段がプロセッサから節電状態に入るための所定の指示を受けた場合に、休止状態にすることができないデバイスのバスとの接続を含む入出力端子の電気的接続が切断されてハイインピーダンス状態を維持するので、消費電力が多いために節電状態時に給電が停止されるデバイスの不定状態になる入出力端子による影響を受けなくなり、誤動作が防止される。
【００２７】
また第６の発明の電子機器によれば、第５の発明の電子機器において、休止状態にできないデバイス側から節電状態の解除を要請する割込信号を発生して節電状態を解除することができると共に、消費電力が多いために節電状態時に給電が停止されないデバイスのバスとの接続を含む入出力端子の電気的接続が通常の接続状態に戻される。
【００２８】
また第７の発明の電子機器によれば、第５又は第６の発明の電子機器において、休止状態にできないデバイスがプロセッサから節電状態に入れるか否かの問い合わせを受けた場合に、節電状態に入ることが可能である旨を報知された場合にのみプロセッサが節電状態に入るための所定の指示を発行するので、休止状態にできないデバイスが実行中の処理が終了するまでは節電状態には入らない。
【００２９】
また第８の発明の電子機器のデバイス−バス間接続回路によれば、切換手段がプロセッサから節電状態に入るための所定の指示を受けた場合に、休止状態にすることができないデバイスのバスとの接続を含む入出力端子の電気的接続が切断されてハイインピーダンス状態を維持するので、消費電力が多いために節電状態時に給電が停止されるデバイスの不定状態になる入出力端子による影響を受けなくなり、誤動作が防止される。
【発明を実施するための最良の形態】
【００３０】
以下、本発明をその実施の形態を示す図面に基づいて具体的に説明する。図１は、本発明のコンピュータシステムを組み込んだ電子機器の一実施の形態としての複合機の内部構成例を示すブロック図である。なお、詳細は後述するが、本発明のコンピュータシステムとしての複合機には複数のデバイスがバス接続されているが、節電のためにそれらのデバイスの内の一部のデバイスの給電を停止するパワーセーブモードの実行が可能である。
【００３１】
本発明のコンピュータシステムとしての複合機は、原稿画像の読み取り、そのコピー出力（プリントアウト）及びファクシミリ通信による送信、ファクシミリ通信により受信したデータのプリントアウト等の機能を有しており、ＭＰＵ１１がＲＯＭ（読出専用メモリ）１２に格納されているコンピュータプログラムに従って上述のような種々の機能を実現する。
【００３２】
なお、図１に示す本発明のコンピュータシステムとしての複合機の内部構成は、制御中枢としてのプロセッサであるＭＰＵ１１が直接接続するシステムバス２０と、ＭＰＵ１１が直接には接続していないローカルバス３０及びパネルバス５０との複数のバスを有し、各バス２０，３０，５０間をゲートアレイ２１で接続して各バス間のデータ転送を切り換えるようにしている。
【００３３】
ＭＰＵ１１は、システムバス２０を介して上述のＲＯＭ１２，各種情報保持メモリとして使用されるＳＲＡＭ１４に接続されている。またＭＰＵ１１はシステムバス２０を介してゲートアレイ２１とも接続されている。
【００３４】
ゲートアレイ２１には画像メモリとして使用されるＳＤＲＡＭ２２が接続されている他、上述のシステムバス２０，パネルバス５０，及びローカルバス３０が接続されている。
【００３５】
システムバス２０には更に、モデム２３，ＮＣＵ２４及び読取用画像処理回路３６等が、パネルバス５０には操作パネル５１が、ローカルバス３０にはプリント用画像処理回路３１，プリント用のメモリコントローラ３３，プリント用コーデック３４，読取用のメモリコントローラ３８，読取用コーデック３９等が接続されている。なお、ローカルバス３０にはオプションボード４１が後付けで接続されている。このオプションボード４１の詳細に関しては後述するが、本実施の形態ではパワーセーブモード時にも給電を停止することができない機能、たとえばＬＡＮインタフェイスの機能を有するボードである。
【００３６】
操作パネル５１は、本発明のコンピュータシステムである複合機を操作するために必要な文字キー、テンキー、短縮ダイヤルキー、ワンタッチダイヤルキー，各種のファンクションキー及びＬＣＤ等の表示装置等を備えている。
【００３７】
ローカルバス３０に接続されているプリント用画像処理回路３１にはプリンタエンジン３２及び前述のメモリコントローラ３３が接続されている。メモリコントローラ３３はローカルバス３０と直接接続している他、更にプリント用のワークエリアとして使用されるＳＤＲＡＭ３５とも接続されている。
【００３８】
プリンタエンジン３２は図示しないプリント部（プリンタ）に備えられている。符号化されている画像データはローカルバス３０からプリント用コーデック３４へ送られてプリントデータにデコーディング（復号）され、その後にメモリコントローラ３３経由でプリント用画像処理回路３１からプリンタエンジン３２へ与えられる。
【００３９】
システムバス２０に接続されている読取用画像処理回路３６にはＣＣＤ３７及び前述のメモリコントローラ３８が接続されている。メモリコントローラ３８はローカルバス３０と直接接続している他、読取用のワークエリアとして使用されるＳＤＲＡＭ４０とも接続されている。
【００４０】
ＣＣＤ３７は図示しない読取部（スキャナ）に備えられている。ＣＣＤ３７が原稿を読み取った信号は読取用画像処理回路３６で処理されてたとえば白黒２値の画像データに変換される。この変換後の画像データはメモリコントローラ３８から読取用コーデック３９へ送られてコーディング（符号化）され、その後にローカルバス３０へ出力される。
【００４１】
モデム２３及びＮＣＵ２４はシステムバス２０を介してゲートアレイ２１に接続されているが、それぞれも相互に接続されている。モデム２３はファクシミリ通信が可能なファクシミリモデムで構成されている。ＮＣＵ２４は、公衆電話交換網（ＰＳＴＮ）とのアナログ回線の閉結及び開放の動作を行なうハードウェアであり、必要に応じてモデム３２を公衆電話交換網に接続し、他のファクシミリ装置との間のファクシミリ通信を制御する。
【００４２】
参照符号６０は電源回路であり、上述の各構成要素に電源を供給するが、パワーセーブモード時に給電が停止されるたとえばプリント用コーデック３４、読取用コーデック３９等への電源供給は破線及びｖにて示し、パワーセーブモード時にも給電が維持されるたとえばオプションボード４１への電源供給は実線及びＶにて示してある。
【００４３】
オプションボード４１は本実施の形態においてはＬＡＮインタフェイスであり、ゲートアレイ４２と、このゲートアレイ４２にバス接続されているＭＰＵ４４と、図示しないＬＡＮ通信のための構成要素とを含んでいる。また、オプションボード４１のゲートアレイ４２にはデータ入出力の際のバッファメモリとして利用されるＤＰＲＡＭ（デュアルポートＲＡＭ）４３が含まれている。
【００４４】
なお、オプションボード４１のＭＰＵ４４からは割込信号（／ＩＮＴ）が出力されており、ＭＰＵ１１に与えられている。
【００４５】
ところで、このオプションボード４１には実線及びＶにて示されているように、パワーセーブモード時にも給電が維持される。一方、このオプションボード４１が接続されているローカルバス３０にはプリント用コーデック３４及び読取用コーデック３９も接続されているが、これらのデバイスは前述した如く破線及びｖにて示されているように、パワーセーブモード時には給電が停止される。即ち、本発明のコンピュータシステムとしての複合機では、１本のローカルバス３０にパワーセーブモード時に給電が停止されるプリント用コーデック３４及び読取用コーデック３９と、パワーセーブモード時にも給電が維持されるオプションボード４１とが混在して接続されている。
【００４６】
以上のような構成の本発明のコンピュータシステムである複合機の代表的な動作は以下の通りである。
【００４７】
公衆電話交換網経由で他のファクシミリ装置からファクシミリ通信によりＮＣＵ２４経由でモデム２３が受信したファクシミリ画像データはシステムバス２０へ出力され、ゲートアレイ２１を経由してＳＤＲＡＭ２２に記憶される。また、読取部のＣＣＤ３７で読み取られて読取用画像処理回路３６で変換された画像データはメモリコントローラ３８から読取用コーデック３９に与えられて符号化された後にローカルバス３０へ出力され、ゲートアレイ２１経由でＳＤＲＡＭ２２に記憶される。
【００４８】
ＳＤＲＡＭ２２に記憶されているファクシミリ画像データをファクシミリ送信する場合は、ファクシミリ画像データは、ゲートアレイ２１経由でシステムバス２０へ出力されてモデム２３，ＮＣＵ２４経由で公衆電話交換網へファクシミリ送信される。また、ＳＤＲＡＭ２２に記憶されているファクシミリ画像データをプリントアウトする場合は、ファクシミリ画像データはゲートアレイ２１経由でローカルバス３０へ出力されてプリント用コーデック３４で復号されてプリント用画像処理回路３１からプリンタエンジン３２へ出力されてプリントアウトされる。
【００４９】
以上のようなＳＤＲＡＭ２２に対するデータの入出力は、ゲートアレイ２１内に備えられている（図２参照）ＤＭＡコントローラ（ＤＭＡＣ）２１５によるＤＭＡ転送によりＭＰＵ１１の介在無しに行なわれる。
【００５０】
なお、ＬＡＮ経由で画像データの送受信を行なう場合は、ＬＡＮインタフェイスとして機能するオプションボード４１経由で画像データがローカルバス３０へ入出力され、上述同様に処理される。
【００５１】
ところで、以上のような構成の本発明のコンピュータシステムとしての複合機ではパワーセーブモードの実行が可能である。以下に、パワーセーブモード実行に関係する信号について説明する。
【００５２】
但し、以下の説明においては、一例としてパワーセーブモード時に給電が停止されるプリント用コーデック３４及び読取用コーデック３９と、パワーセーブモード時にも給電が維持されるオプションボード４１とが共通して接続されているローカルバス３０に関して説明する。なお、信号名の先頭に「／」が付加されている信号はローアクティブ（ローレベルである場合に有意）であることを意味している。
【００５３】
パワーセーブモードの実行に際しては、ＭＰＵ１１からの指示によりゲートアレイ２１から出力されているローアクティブのパワーセーブ信号（／ＰＳ）がアサートされる（有意にされる、具体的にはローレベルにされる）。
【００５４】
また、ＭＰＵ１１からは、ＭＰＵチップセレクト信号（／ＭＰＵ＿ＣＳ），ＭＰＵ読出信号（／ＭＰＵ＿ＲＤ），ＭＰＵ書込信号（／ＭＰＵ＿ＷＲ）及びその他のたとえばチップセレクト信号等が出力されているが、図１にはＭＰＵ読出信号（／ＭＰＵ＿ＲＤ），ＭＰＵ書込信号（／ＭＰＵ＿ＷＲ）がゲートアレイ２１へ入力された後にローカルバス３０に接続する各デバイスに与えられるＩＯ書込信号（／ＩＯ＿ＷＲ），ＩＯ読出信号（／ＩＯ＿ＲＤ）のみを示してある。
【００５５】
具体的には、ゲートアレイ２１からプリント用画像処理回路３１，プリント用コーデック３４、両メモリコントローラ３３，３８、読取用コーデック３９、読取用画像処理回路３６及びオプションボード４１のゲートアレイ４２へＩＯ読出信号（／ＩＯ＿ＷＲ）及びＩＯ書込信号（／ＩＯ＿ＲＤ）の各信号が与えられている。
【００５６】
従って、ゲートアレイ２１はＭＰＵ１１から与えられるチップセレクト信号のアドレスに応じて、各デバイスを選択するチップセレクト信号（／ＩＯ＿ＣＳｎ）を出力し（ローレベルにし）、同時に、ＩＯ読出信号（／ＩＯ＿ＲＤ）又はＩＯ書込信号（／ＩＯ＿ＷＲ）を出力する（ローレベルにする）ことにより、チップセレクト信号で選択しているデバイスにデータの読み取り又は書き込みを行なわせることにより、前述したような動作を行なうことが可能になる。
【００５７】
また、ゲートアレイ２１から出力されているパワーセーブ信号（／ＰＳ）がアクティブ（ローレベル）にされた場合、電源回路６０はプリント用コーデック３４及び読取用コーデック３９を含むいくつかのデバイスへの給電を停止し、オプションボード４１を含むいくつかのデバイスへの給電を維持する。これにより、パワーセーブモードが実行される。
【００５８】
次に、ゲートアレイ２１の構成について、その一例を示す図２のブロック図を参照して説明する。
【００５９】
ゲートアレイ２１内には、内部バス２１０に、システムバスインタフェイス（Ｉ／Ｆ）２１１，ＳＤＲＡＭインタフェイス（Ｉ／Ｆ）２１３，ローカルバスインタフェイス（Ｉ／Ｆ）２１４，ＤＭＡＣ（ダイレクトメモリアクセスコントローラ）２１５，アドレスデコーダ２１６及び信号生成回路２１７等が接続されている。
【００６０】
システムバスＩ／Ｆ２１１はシステムバス２０とゲートアレイ２１とのインタフェイスであるが、ＭＰＵ１１から出力されているＭＰＵチップセレクト信号（／ＭＰＵ＿ＣＳ），ＭＰＵ書込信号（／ＭＰＵ＿ＷＲ），ＭＰＵ読出信号（／ＭＰＵ＿ＲＤ）の各信号も入力されている。
【００６１】
アドレスデコーダ２１６はＭＰＵ１１から出力されてシステムバスＩ／Ｆ２１１を経由して内部バス２１０から入力されるチップ選択のためのアドレス信号をＭＰＵチップセレクト信号（／ＭＰＵ＿ＣＳ）に同期して受信し、デコードすることにより、各デバイス（チップ）を選択するための第０〜第ｎチップセレクト信号（／ＩＯ＿ＣＳ０〜／ＩＯ＿ＣＳｎ）のいずれか一つをアクティブ（ローレベル）にする。但し、各チップセレクト信号（／ＩＯ＿ＣＳ０〜／ＩＯ＿ＣＳｎ）はそれぞれゲート回路２１６０〜２１６ｎを介してゲートアレイ２１外部へ出力されるようになっている。各ゲート回路２１６０〜２１６ｎはパワーセーブ信号（／ＰＳ）がアクティブにされた場合に各チップセレクト信号（／ＩＯ＿ＣＳ０〜／ＩＯ＿ＣＳｎ）の信号線をゲートアレイ２１から電気的に切断する。
【００６２】
信号生成回路２１７はバス経由でＭＰＵ１１から与えられる指示に応じてパワーセーブ信号（／ＰＳ）を出力すると共に、ＭＰＵ１１から出力されているＭＰＵチップセレクト信号（／ＭＰＵ＿ＣＳ），ＭＰＵ読出信号（／ＭＰＵ＿ＲＤ），ＭＰＵ書込信号（／ＭＰＵ＿ＷＲ）をそれぞれＩＯ書込信号（／ＩＯ＿ＷＲ），ＩＯ読出信号（／ＩＯ＿ＲＤ）に変換してゲートアレイ２１外部へ出力する。但し、ＩＯ書込信号（／ＩＯ＿ＷＲ），ＩＯ読出信号（／ＩＯ＿ＲＤ）はそれぞれゲート回路２１７０及び２１７１を介してゲートアレイ２１外部へ出力されるようになっている。各ゲート回路２１７１及び２１７１はパワーセーブ信号（／ＰＳ）がアクティブにされた場合にＩＯ書込信号（／ＩＯ＿ＷＲ），ＩＯ読出信号（／ＩＯ＿ＲＤ）の信号線をゲートアレイ２１から電気的に切断する。
【００６３】
ローカルバスＩ／Ｆ２１４とローカルバス３０との接続はアドレスバスとデータバスとに分かれるが、アドレスバスに関しては各アドレス信号線にゲート回路２１Ａ０〜２１Ａｍが介装されており、パワーセーブ信号（／ＰＳ）がこれらのゲート回路２１Ａ０〜２１Ａｍの制御信号として与えられている。従って、パワーセーブ信号（／ＰＳ）がアクティブ（ローレベル）にされた場合にこれらのゲート回路２１Ａ０〜２１Ａｍがそれぞれのアドレス信号線をゲートアレイ２１から電気的に切断する。
【００６４】
データバスに関しては、各データ信号線に双方向ゲート回路２１Ｄ０〜２１Ｄｋが介装されており、ＡＮＤゲート２１４０の負論理出力信号がこれらのゲート回路２１Ａ０〜２１Ａｍの制御信号として与えられている。ＡＮＤゲート２１４０は共に負論理の２入力端子を有し、これらの入力端子の一方にはパワーセーブ信号（／ＰＳ）が、他方には信号生成回路２１７が生成するローアクティブの切断信号（／Ｇ）が入力されている。従って、ＡＮＤゲート２１０はパワーセーブ信号（／ＰＳ）と切断信号（／Ｇ）とが共にアクティブ（ローレベル）である場合にローレベルの出力信号を上述のゲート回路２１Ａ０〜２１Ａｍの制御信号として与えるようになっている。
【００６５】
図３はオプションボード４１の要部の構成例を示すブロック図であり、本発明のデバイス−バス間接続回路の構成が示されている。
【００６６】
このオプションボード４１のゲートアレイ４２にはパワーセーブ信号（／ＰＳ）、ＩＯ読出信号（／ＩＯ＿ＲＤ），ＩＯ書込信号（／ＩＯ＿ＷＲ）が入力される他、ローカルバス３０も接続されている。具体的には、パワーセーブ信号（／ＰＳ）は、一方の入力端子が正論理、他方の入力端子が負論理、出力端子が負論理のＡＮＤゲート４２１、４２２の一方の正論理入力端子に、ＩＯ読出信号（／ＩＯ＿ＲＤ）は上述のＡＮＤゲート４２１の他方の負論理入力端子に、ＩＯ書込信号（／ＩＯ＿ＷＲ）は上述のＡＮＤゲート４２２の他方の負論理入力端子にそれぞれ入力されている。
【００６７】
また、ローカルバス３０のアドレスバスの各アドレス信号線は、一方の入力端子が正論理、他方の入力端子が負論理、出力端子が負論理のＡＮＤゲート４１Ａ０〜４１Ａｍの他方の負論理入力端子に入力されており、これらのＡＮＤゲート４１Ａ０〜４１Ａｍの一方の正論理入力端子にはパワーセーブ信号（／ＰＳ）が入力されている。また、ローカルバス３０のデータバスの各データ信号線は、双方向ゲート回路４１Ｄ０〜４１Ｄｋに入力されており、これらの双方向ゲート回路４１Ｄ０〜４１Ｄｋの制御端子にはＡＮＤゲート４２３の出力信号が与えられている。ＡＮＤゲート４２３はいずれも負論理の２入力端子と出力端子を有し、一方の負論理入力端子にはパワーセーブ信号（／ＰＳ）が、他方の負論理入力端子にはゲートアレイ４２自身が出力するローアクティブの切断信号（／Ｇ’）が入力されている。
【００６８】
従って、パワーセーブ信号（／ＰＳ）がアクティブにされていない場合、即ちパワーセーブモードではない状態では、各ＡＮＤゲート４２１、４２２、４１Ａ０〜４１Ａｍは他方の入力信号をそのままの状態で出力するが、パワーセーブ信号（／ＰＳ）がアクティブにされている場合、即ちパワーセーブモードである状態では、ＡＮＤゲート４２１、４２２はＩＯ読出信号（／ＩＯ＿ＲＤ），ＩＯ書込信号（／ＩＯ＿ＷＲ）を受け付けず、またＡＮＤゲート４１Ａ０〜４１Ａｍはオプションボード４１のゲートアレイ４２をローカルバス３０から電気的に切断する。
【００６９】
また、パワーセーブ信号（／ＰＳ）がアクティブにされていない場合、即ちパワーセーブモードではない状態では、ＡＮＤゲート４２３の出力信号はハイレベルになるので、各双方向ゲート回路４１Ａ０〜４１Ａｍはローカルバス３０と接続される状態となるが、パワーセーブ信号（／ＰＳ）がアクティブにされており、即ちパワーセーブモードであり、しかも切断信号（／Ｇ’）がアクティブ（ローレベル）である場合は、ＡＮＤゲート４２３の出力信号はローレベルになるので、各双方向ゲート回路４１Ｄ０〜４１Ｄｋはオプションボード４１のゲートアレイ４２をローカルバス３０から電気的に切断する。
【００７０】
なお、ＬＡＮインタフェイスであるオプションボード４１のＭＰＵ４４はパワーセーブモード時に外部からＬＡＮ経由の通信が着信した場合に、出力ポートから割込信号（／ＩＮＴ）を発生してＭＰＵ１１に与える。
【００７１】
次に、上述のような構成の本発明のコンピュータシステムである複合機のパワーセーブモードに関する動作について説明する。
【００７２】
本発明のコンピュータシステムである複合機では、たとえば所定時間にわたってなんらの操作も行なわれなかったような場合に通常の状態からパワーセーブモードに入って節電するようにプログラムされている。このような場合には、ＭＰＵ１１からパワーセーブモードに入る旨を問い合わせるコマンドが発行され、システムバス２０、ゲートアレイ２１、ローカルバス３０経由でオプションボード４１へ入力され、ＤＰＲＡＭ４２経由でオプションボード４１のＭＰＵ４４に通知される。この際、オプションボード４１のＭＰＵ４４が何らかの処理を実行中であればパワーセーブモードには入れないので、その旨を示す応答をＭＰＵ１１へ送信する。この場合、ＭＰＵ１１はそれ以降、所定時間間隔でパワーセーブモードに入る旨を問い合わせるコマンドを反復出力する。
【００７３】
オプションボード４１のＭＰＵ４４がパワーセーブモードに入ることが可能な状態である場合は、ＭＰＵ１１から出力されたパワーセーブモードに入る旨を問い合わせるコマンドに対して承認する旨の応答をＭＰＵ１１へ送信する。この場合、オプションボード４１はこれ以降はたとえばＤＭＡ転送処理等を要求することはできなくなる。このオプションボード４１のＭＰＵ４４からのパワーセーブモードを承認する応答を受けてＭＰＵ１１はパワーセーブ信号（／ＰＳ）をアクティブにする（ローレベルにする）。このパワーセーブ信号（／ＰＳ）がアクティブにされることにより、電源回路６０はオプションボード４１を除いた他の給電先への給電を停止し、オプションボード４１への給電は維持する。
【００７４】
またパワーセーブ信号（／ＰＳ）がアクティブにされることにより、ゲートアレイ２１のアドレスデコーダ２１６からチップセレクト信号（／ＩＯ＿ＣＳ０〜／ＩＯ＿ＣＳｎ）を出力している各信号線はそれぞれゲート回路２１６０〜２１６ｎにより外部と電気的に切断される。またゲートアレイ２１の信号生成回路２１７からＩＯ書込信号（／ＩＯ＿ＷＲ），ＩＯ読出信号（／ＩＯ＿ＲＤ）を出力している各信号線はそれぞれゲート回路２１４０及び２１７１により外部と電気的に切断される。
【００７５】
更に、パワーセーブ信号（／ＰＳ）がアクティブにされることにより、ローカルバスＩ／Ｆ２１４からローカルバス３０のアドレスバスへ出力されているアドレス信号の各信号線もそれぞれゲート回路２１Ａ０〜２１Ａｍによりローカルバス３０と電気的に切断される。またパワーセーブ信号（／ＰＳ）がアクティブにされることによって信号生成回路２１７は切断信号（／Ｇ）をアクティブ（ローレベル）にするので、ローカルバスＩ／Ｆ２１４からローカルバス３０のデータバスへ出力されているデータ信号の各信号線もそれぞれ双方向ゲート回路２１Ｄ０〜２１Ｄｋによりローカルバス３０と電気的に切断される。
【００７６】
一方、オプションボード４１では電源回路６０からの給電は維持されているが、パワーセーブ信号（／ＰＳ）がアクティブにされることにより、ＡＮＤゲート４２１、４２２、４１Ａ０〜４１Ａｍがいずれも入力信号を受け入れない状態になる。また同時に、パワーセーブ信号（／ＰＳ）がアクティブにされることにより、オプションボード４１のＭＰＵ４４が切断信号（／Ｇ’）をアクティブ（ローレベル）にするので、ＡＮＤゲート４２３の両負論理入力端子への入力がローレベルになり、その出力信号がローレベルになる。これにより、双方向ゲート回路４１Ｄ０〜４１Ｄｋはいずれもオフ状態になるので、オプションボード４１のゲートアレイ４２とローカルバス３０とを接続しているデータバスの各データ信号線はローカルバス３０から電気的に切断される。
【００７７】
以上により、オプションボード４１の全ての入出力端子、即ちチップセレクト信号（／ＩＯ＿ＣＳ０〜／ＩＯ＿ＣＳｎ）、ＩＯ書込信号（／ＩＯ＿ＷＲ）、ＩＯ読出信号（／ＩＯ＿ＲＤ）の各入力端子、アドレスバス及びデータバスはハイインピーダンスに維持された状態でゲートアレイ２１またはローカルバス３０から電気的に切断されるため、同一のバス、即ちローカルバス３０に接続されていて給電が停止されているプリント用コーデック３４、読取用コーデック３９等の影響を受けることはなく、オプションボード４１が誤動作する可能性はなくなる。
【００７８】
以上のように本発明のコンピュータシステムである複合機は、パワーセーブモード時にも給電が必要なＬＡＮインタフェイスであるオプションボード４１以外の各デバイスへの給電がパワーセーブモードにおいては停止され、節電効果が発揮される。このようなパワーセーブモードを解除して通常の状態に復帰するには、ＭＰＵ１１側からパワーセーブモードを解除する場合と、オプションボード４１側からの要求によりパワーセーブモードを解除する場合とがある。
【００７９】
まず、ＭＰＵ１１側からパワーセーブモードを解除する場合について説明する。具体的には人手により何らかの操作、たとえば操作パネル５１のいずれかのキーが操作されたような場合、またはＣＣＤ３７が備えられている図示しない読取部（スキャナ）に原稿がセットされたような場合に、ＭＰＵ１１がそのような状態を検知してパワーセーブモードを解除する処理を開始する。この場合には、ＭＰＵ１１はまずパワーセーブ信号（／ＰＳ）をノンアクティブ（ハイレベル）にすることにより、電源回路６０から全てのデバイスへの給電を再開させる。
【００８０】
また同時にＭＰＵ１１は、パワーセーブモード時においても給電が維持されていたオプションボード４１に対してパワーセーブモードが解除された旨を示すコマンドを発行する、このパワーセーブモードの解除を示すコマンドは、システムバス２０、ゲートアレイ２１、ローカルバス３０経由でオプションボード４１へ入力され、ＤＰＲＡＭ４２経由でオプションボード４１のＭＰＵ４４に通知される。これに対してオプションボード４１のＭＰＵ４４はパワーセーブモードの解除を承認する応答をローカルバス３０へ出力し、これが上述と逆の経路でＭＰＵ１１へ送信される。
【００８１】
またパワーセーブ信号（／ＰＳ）がノンアクティブにされることにより、ゲートアレイ２１のアドレスデコーダ２１６からチップセレクト信号（／ＩＯ＿ＣＳ０〜／ＩＯ＿ＣＳｎ）を出力している各信号線に介装されているゲート回路２１６０〜２１６ｎはオン状態になって外部との接続が回復される。またゲートアレイ２１の信号生成回路２１７からＩＯ書込信号（／ＩＯ＿ＷＲ），ＩＯ読出信号（／ＩＯ＿ＲＤ）を出力している各信号線もそれぞれに介装されているゲート回路２１４０及び２１７１がオン状態になるので、外部との接続が回復される。
【００８２】
更に、パワーセーブ信号（／ＰＳ）がノンアクティブにされることにより、ローカルバスＩ／Ｆ２１４からローカルバス３０のアドレスバスへ出力されているアドレス信号の各信号線に介装されているゲート回路２１Ａ０〜２１Ａｍもオン状態になってローカルバス３０との接続が回復される。またパワーセーブ信号（／ＰＳ）がノンアクティブにされることによって信号生成回路２１７は切断信号（／Ｇ）をノンアクティブ（ハイレベル）にするので、ローカルバスＩ／Ｆ２１４からローカルバス３０のデータバスへ出力されているデータ信号の各信号線に介装されている双方向ゲート回路２１Ｄ０〜２１Ｄｋもそれぞれオン状態となってローカルバス３０との接続が回復される。
【００８３】
一方、オプションボード４１でもパワーセーブ信号（／ＰＳ）がノンアクティブにされることにより、ＡＮＤゲート４２１、４２２、４１Ａ０〜４１Ａｍがいずれも入力信号を受け入れる状態になる。また同時に、パワーセーブ信号（／ＰＳ）がノンアクティブにされることにより、オプションボード４１のＭＰＵ４４が切断信号（／Ｇ’）をノンアクティブ（ハイレベル）にするので、ＡＮＤゲート４２３の両負論理入力端子への入力がハイレベルになり、その出力信号がハイレベルになる。これにより、双方向ゲート回路４１Ｄ０〜４１Ｄｋはいずれもオン状態になるので、オプションボード４１のゲートアレイ４２とローカルバス３０とを接続しているデータバスの各データ信号線とローカルバス３０との接続が回復される。
【００８４】
以上により、オプションボード４１の全ての入出力端子、即ちチップセレクト信号（／ＩＯ＿ＣＳ０〜／ＩＯ＿ＣＳｎ）、ＩＯ書込信号（／ＩＯ＿ＷＲ）、ＩＯ読出信号（／ＩＯ＿ＲＤ）の各入力端子、アドレスバス及びデータバスは通常の接続状態に復帰する。
【００８５】
次に、オプションボード４１側からパワーセーブモードを解除する場合について説明する。具体的には、ＬＡＮインタフェイスであるオプションボード４１はパワーセーブモードにおいても給電が維持されていて稼働しているので、外部からの通信が着信したような場合にはそのＭＰＵ４４が割込信号（／ＩＮＴ）を発生する。この割込信号（／ＩＮＴ）は専用の信号線を通じてＭＰＵ１１へ出力される。
【００８６】
このオプションボード４１のＭＰＵ４４が発生した割込信号（／ＩＮＴ）を入力することにより、ＭＰＵ１１はパワーセーブモードを解除する。この場合には、ＭＰＵ１１はまずパワーセーブ信号（／ＰＳ）をノンアクティブ（ハイレベル）にすることにより電源回路６０から全てのデバイスへの給電を再開させる。
【００８７】
また同時にＭＰＵ１１は、割込信号（／ＩＮＴ）を出力したオプションボード４１に対してパワーセーブモードを解除した旨を示すコマンドを出力する。このパワーセーブモードの解除を指示するコマンドは、システムバス２０、ゲートアレイ２１、ローカルバス３０経由でオプションボード４１へ入力され、ＤＰＲＡＭ４２経由でオプションボード４１のＭＰＵ４４に通知される。これに対してオプションボード４１のＭＰＵ４４はパワーセーブモードの解除を承認する応答をローカルバス３０へ出力し、これが上述とは逆の経路でＭＰＵ１１へ送信される。
【００８８】
以降の処理は前述したＭＰＵ１１側からパワーセーブモードを解除する場合の処理と同様である。
【００８９】
なお、以上の実施の形態においては、本発明のコンピュータシステムを複合機に組み込んだ例を本発明の電子機器として例示したが、これに限るものではなく、ファクシミリ装置、デジタル複写機等は勿論のこと、ＤＶＤプレーヤ・レコーダ、ビデオテープレコーダ等のＡＶ機器のような待機状態に主要な構成要素への給電を停止する電子機器にも本発明を適用することが可能である。
【図面の簡単な説明】
【００９０】
【図１】本発明のコンピュータシステムの一実施の形態としての電気機器である複合機の内部構成例を示すブロック図である。
【図２】本発明のコンピュータシステムの一実施の形態としての電気機器である複合機のゲートアレイ構成例を示すブロック図である。
【図３】本発明のコンピュータシステムの一実施の形態としての電気機器である複合機のオプションボードの要部の構成例を示すブロック図であり、本発明のデバイス−バス間接続回路の構成が示されている。
【符号の説明】
【００９１】
１１  ＭＰＵ
２１  ゲートアレイ
３０  ローカルバス
３４  プリント用コーデック（休止状態になるデバイス）
３９  読取用コーデック（休止状態になるデバイス）
４１  オプションボード（休止状態にならないデバイス）
４２  （オプションボード４１の）ゲートアレイ
４４  （オプションボード４１の）ＭＰＵ
６０  電源回路
４２１、４２２、４１Ａ０〜４１Ａｍ  ＡＮＤゲート
４１Ｄ０〜４１Ｄｋ  双方向ゲート回路
／ＩＯ＿ＲＤ  読出信号
／ＩＯ＿ＷＲ  書込信号
／ＰＳ  パワーセーブ信号
／ＩＮＴ  割込信号
／Ｇ、／Ｇ’  切断信号
【図１】
2005099927.tif 000003
【図２】
2005099927.tif 000004
【図３】
2005099927.tif 000005